(57)【要約】【課題】所望の文字や図形を画面上に表示させることのできるフレキシブルなＥＬ表示装置を得る。【解決手段】背面電極層２の金属電極群１２は３つのグループ１２A、B、Cに分割され、各々対応する信号側ドライバ２１A、B、Cと接続され、互いに同期して信号駆動がなされる。透明電極層５の透明電極群１５は、３つのグループ１５A、B、Cに分割され、各々対応する走査側ドライバ３１A、B、Cと接続され、互いに同期して信号走査がなされる。ベースフィルム１にはスルーホールコンタクト２０が埋設されており、金属電極群１７をベースフィルム１の裏面側に配することができるので、金属電極群１２をグループ１２A、B、Cに分割しても画面領域間のつなぎ目は表示画面内に存在しない。金属電極群１２と透明電極群１５とは互いに直交するように配設されて、ＸＹマトリックス構造が形成され、パッシブ型のＸＹマトリックス駆動方式による信号駆動が可能となる。【選択図】          図２
2005116320.tif 000002
【特許請求の範囲】
【請求項１】
フィルム状の絶縁基体と、この絶縁基体上に所定間隔でストライプ状に配設された複数本の電極からなる第１電極層と、この第１電極層の電極の延在方向と直交するように配された複数本の電極からなる第２電極層と、該第１電極層の電極と該第２電極層の電極との間に介在する、無機蛍光体粉末を分散させてなる蛍光体層とからなり、
前記第１電極層の電極と前記第２電極層の電極との間に所定の駆動信号を印加せしめ、パッシブ型ＸＹマトリックス駆動方式によって前記蛍光体層の各画素部の発光を行なうことを特徴とするフレキシブルなＥＬ表示装置。
【請求項２】
フィルム状の絶縁基体と、この絶縁基体上に所定間隔でストライプ状に配設された複数本の電極からなる第１電極層と、誘電体層と、無機蛍光体粉末を分散させてなる蛍光体層と、前記第１電極層の電極の延在方向と直交するように配された複数本の透明電極からなる第２電極層と、透明な保護層とを、この順に積層してなり、
前記第１電極層の電極と前記第２電極層の電極との間に所定の駆動信号を印加せしめ、パッシブ型ＸＹマトリックス駆動方式によって前記蛍光体層の各画素部の発光を行なうことを特徴とするフレキシブルなＥＬ表示装置。
【請求項３】
前記フィルム状の絶縁基体が全体として矩形状をなし、該絶縁基体の１つの端部または該絶縁基体の対向する２つの端部の近傍に、前記第１電極層の電極および前記第２電極層の電極と、外部駆動回路とを接続する端子部を集中形成してなることを特徴とする請求項１または２記載のフレキシブルなＥＬ表示装置。
【請求項４】
前記蛍光体層は前記画素部をグループ化した複数の領域に分割され、これら複数の領域の各領域毎に対応する外部駆動回路が設けられており、これら外部駆動回路が各々対応する前記複数の領域の前記画素部を駆動するように構成されていることを特徴とする請求項１から３のうちいずれか１項記載のフレキシブルなＥＬ表示装置。
【請求項５】
前記フィルム状の絶縁基体に、前記第１電極層の電極を該絶縁基体の一方の面から他方の面に導くスルーホールコンタクトを設けたことを特徴とする請求項３または４記載のフレキシブルなＥＬ表示装置。
【請求項６】
前記蛍光体層がＺｎＳ：Ｃｕからなる青緑色発光蛍光体粉末を含むとともに、前記第２電極層の電極の配設位置と対応するように複数種の波長変換用蛍光塗料を塗設してなるフィルムを前記蛍光体層の光出射側に配設してカラー表示を行なうように構成されてなることを特徴とする請求項１から５のうちいずれか１項記載のフレキシブルなＥＬ表示装置。
【請求項７】
前記蛍光体層がＺｎＳ：Ｃｕからなる青緑色発光蛍光体粉末とＺｎＳ：Ｍｎからなるオレンジ色発光蛍光体粉末を含むとともに、複数種のカラーフィルタを前記蛍光体層の光出射側に配設してカラー表示を行なうように構成されてなることを特徴とする請求項１から５のうちいずれか１項記載のフレキシブルなＥＬ表示装置。
【請求項８】
前記蛍光体層がＺｎＳ：Ｃｕからなる青緑色発光蛍光体粉末とＺｎＳ：Ｍｎからなるオレンジ色発光蛍光体粉末を含み、白色表示を行なうように構成されてなることを特徴とする請求項１から５のうちいずれか１項記載のフレキシブルなＥＬ表示装置。
【請求項９】
互いに隣接する前記画素部の間に黒色の隔壁体を配置してなることを特徴とする請求項１〜８のうちいずれか１項記載のフレキシブルなＥＬ表示装置。
【発明の詳細な説明】
【技術分野】
【０００１】
本発明はフレキシブルなＥＬ表示装置に関し、インジケータ、メッセージボード、動画像表示装置等に好適に用いられるフィルム体をベースとしたフレキシブルなＥＬ表示装置に関するものである。
【背景技術】
【０００２】
従来より、無機蛍光体材料を有機バインダ中に分散して蛍光体層を形成した分散型エレクトロルミネッセント（以下分散型ＥＬと称する：本明細書ではバインダ中に無機蛍光体材料を分散させたものを意味するものとする）は、軽くて薄いシート状の態様で面状に発光させることができるため、その略全面を発光させてインジケータ、キーパッドあるいは液晶等のバックライト用発光体として用いられている。
【０００３】
このような分散型ＥＬは、一般に、防湿のプラスチック基体上にアルミ電極層を重ね、スクリーン印刷法を用いて、誘電体層と、無機蛍光体粒子をバインダ中に分散させてなるＥＬ蛍光体層とを形成し、この上に透明電極層付の透明な防湿フィルムを積層することにより構成され、アルミ電極層と透明電極層との間に所定電圧を印加することにより、上記ＥＬ蛍光体層を発光させるようにしている。
なお、このような従来の分散型ＥＬは下記特許文献１や下記特許文献２にも記載されている。
【０００４】
【特許文献１】特開２０００−１３３４６３号公報
【特許文献１】特開２０００−１８２７６５号公報
【発明の開示】
【発明が解決しようとする課題】
【０００５】
しかしながら、これまでの分散型ＥＬは、上述したように全面点灯用として用いられており、電極や蛍光体層は特に細かいパターン形状に加工されておらず、せいぜい電極あるいはシート全体を、表示すべき文字や図形の形状に加工し、その形状全体を点灯または消灯させるようにして簡単なインジケータとして使用されるものであった。
したがって、種々の画像や所望の文字・図形を画面上に表示させたいという要求に応えることができなかった。
【０００６】
本発明はこのような事情に鑑みなされたもので、分散型ＥＬにおいて、種々の画像や所望の文字・図形を画面上に表示させることのできるフレキシブルなＥＬ表示装置を提供することを目的とするものである。
【課題を解決するための手段】
【０００７】
本発明のフレキシブルなＥＬ表示装置は、フィルム状の絶縁基体と、この絶縁基体上に所定間隔でストライプ状に配設された複数本の電極からなる第１電極層と、この第１電極層の電極の延在方向と直交するように配された複数本の電極からなる第２電極層と、該第１電極層の電極と該第２電極層の電極との間に介在する、無機蛍光体粉末を分散させてなる蛍光体層とからなり、
前記第１電極層の電極と前記第２電極層の電極との間に所定の駆動信号を印加せしめ、パッシブ型ＸＹマトリックス駆動方式によって前記蛍光体層の各画素部の発光を行なうことを特徴とするものである。
【０００８】
また、前記フレキシブルなＥＬ表示装置の具体的な一態様は、フィルム状の絶縁基体と、この絶縁基体上に所定間隔でストライプ状に配設された複数本の電極からなる第１電極層と、誘電体層と、無機蛍光体粉末を分散させてなる蛍光体層と、前記第１電極層の電極の延在方向と直交するように配された複数本の透明電極からなる第２電極層と、透明な保護層とを、この順に積層してなり、
前記第１電極層の電極と前記第２電極層の電極との間に所定の駆動信号を印加せしめ、パッシブ型ＸＹマトリックス駆動方式によって前記蛍光体層の各画素部の発光を行なうことを特徴とするものである。
【０００９】
また、前記フィルム状の絶縁基体が全体として矩形状をなし、該絶縁基体の１つの端部または該絶縁基体の対向する２つの端部の近傍に、前記第１電極層の電極および前記第２電極層の電極と、外部駆動回路とを接続する端子部を集中形成してなることが好ましい。
【００１０】
また、前記蛍光体層は前記画素部をグループ化した複数の領域に分割され、これら複数の領域の各領域毎に対応する外部駆動回路が設けられており、これら外部駆動回路が各々対応する前記複数の領域の前記画素部を駆動するように構成されていることが好ましい。
【００１１】
また、前記フィルム状の絶縁基体に、前記第１電極層の電極を該絶縁基体の一方の面から他方の面に導くスルーホールコンタクトを設けることが好ましい。
【００１２】
また、前記蛍光体層がＺｎＳ：Ｃｕからなる青緑色発光蛍光体粉末を含むとともに、前記第２電極層の電極の配設位置と対応するように複数種の波長変換用蛍光塗料を塗設してなるフィルムを前記蛍光体層の光出射側に配設してカラー表示を行なうように構成されていることが好ましい。
【００１３】
また、前記蛍光体層がＺｎＳ：Ｃｕからなる青緑色発光蛍光体粉末とＺｎＳ：Ｍｎからなるオレンジ色発光蛍光体粉末を含むとともに、複数種のカラーフィルタを前記蛍光体層の光出射側に配設してカラー表示を行なうように構成されていることが好ましい。
【００１４】
また、前記蛍光体層がＺｎＳ：Ｃｕからなる青緑色発光蛍光体粉末とＺｎＳ：Ｍｎからなるオレンジ色発光蛍光体粉末を含み、白色表示を行なうように構成されていることが好ましい。
【００１５】
さらに、互いに隣接する前記画素部の間に黒色の隔壁体を配置してなることが好ましい。
【発明の効果】
【００１６】
本発明のフレキシブルなＥＬ表示装置によれば、前記蛍光体層を挟む第１電極層の電極と第２電極層の電極とがＸＹマトリックス構造を形成し、一方の電極層の電極を順次選択するとともに他方の電極層の電極を順次選択して、選択された一方の電極層の電極と選択された他方の電極層の電極との間に所定の駆動信号を印加することで、これら選択された２つの電極の交点に位置する画素部を点灯するパッシブ型の駆動方式を採用しているので、簡易な構造によって、種々の画像や所望の文字・図形を表示画面上に表示させることができる。
【００１７】
また、フィルム状の絶縁基体が全体として矩形状をなし、該絶縁基体の１つの端部または対向する２つの端部の近傍に、前記第１電極層の電極および前記第２電極層の電極と、外部回路とを接続する端子部を集中形成すれば、ＥＬ表示装置を巻物状に巻回して、コンパクトに収納することが可能となり好ましい。
【００１８】
また、パッシブ型のＸＹマトリックス駆動方式では、１画素部あたりの駆動信号印加時間が短くなるから、表示画面上の輝度が低下する。そこで、蛍光体層は画素部をグループ化した複数の領域に分割し、これら複数の領域の各領域毎に対応する外部駆動回路を設け、これら外部駆動回路が各々対応する複数の領域の画素部を駆動するように構成すれば、１画素部あたりの駆動デューティを増加させることができ、表示画面の輝度の低下を抑制することができる。
【発明を実施するための最良の形態】
【００１９】
以下、本発明の実施形態に係るフレキシブルなＥＬ表示装置について、図面を用いて詳細に説明する。
【００２０】
図１は、本実施形態に係るフレキシブルなＥＬ表示装置の層構成を概念的に示す概略図である。このＥＬ表示装置は、パッシブ型ＸＹマトリックス駆動方式によって蛍光体層の各画素の発光を行なうものであって、図１に示すように、透明樹脂ベースフィルム１（以下単にベースフィルム１と称することがある）上に、背面電極層２、誘電体層３、蛍光体層４、透明電極層５および透明なカバーフィルム６を積層されてなり、蛍光体層４のＥＬ発光はカバーフィルム６を介して出力されるようになっている。
【００２１】
上記透明樹脂ベースフィルム１は、ポリエステルやポリカーボネート（PC）等の透明樹脂材料からなる。
【００２２】
また、上記透明電極層５は、例えば、ＩＴＯ（錫添加酸化インジウム）やＺｎＯ等からなる透明材料からなる電極層であり、一方上記背面電極層２は、Ａｌ等からなる不透明な電極層である。これら電極層２、５の層厚は各々例えば約３０μｍである。なお、この背面電極層２は、カーボン電極層またはＩＴＯやＺｎＯからなる電極層とすることも可能である。
【００２３】
これら電極層２、５間には所定の駆動信号が印加される。この駆動信号については後述する。
【００２４】
また、これらの電極層２、５は、後述するように、各々ストライプ状に配設された複数本の電極を備えてなり、これらの電極層２、５の電極は、その延在方向が互いに直交するように配されており、これにより電極のＸＹマトリックス構造が構成される。
【００２５】
また、上記誘電体層３は、絶縁層として機能し、BaTiO3やTa2O5等の種々の誘電体材料を用いることができる。
【００２６】
また、上記蛍光体層４は、ＥＬ蛍光体の微粒子をバインダ中に分散させてなる蛍光体微粒子分散型とされており、その層厚は例えば約３０μｍである。なお、ＥＬ蛍光体の微粒子の径は、例えば１０ｎｍ〜１μｍとされており、従来の蛍光体層において用いられていた１０μｍ以上の粒径のものと比べて格段に小さいものとされているため、画像表示の解像度を大幅に向上させることができる。
【００２７】
また、上記カバーフィルム６としては、耐久性、柔軟性、透明性、電気絶縁性に加えて防湿性に優れたものが好ましく、ポリエチレンテレフタレート（PET）系やポリクロロトリフルオロエチレン（PCTFE）系と６ナイロン等を混合したもの等が好適に用いられる。
【００２８】
図２は、上記背面電極層２および上記透明電極層５の構造を詳細に示すものである。なお、図２（A）は背面電極層２の上面図であり、図２（B）は背面電極層２の側断面図である。さらに、図２（C）は透明電極層５の上面図であり、透明電極層５の各電極はカバーフィルム６を透視した状態で表されている。
【００２９】
図２（A）、（B）に示すようにベースフィルム１にはスルーホールコンタクト２０が各画素に対応した位置に埋設されており、ベースフィルム１の蛍光体層４側の面（上面）に配された背面電極層２のアルミ金属電極群１２と、ベースフィルム１の裏面に形成された、各信号側ドライバ２１A、B、Cに接続されるアルミ金属パターンからなる電極配線１７とを電気的に接続するスルーホールを構成する。
【００３０】
また、背面電極層２のアルミ金属電極群１２は３つのグループ１２A、B、Cに分割されており、各グループ１２A、B、Cは各々、信号入力側のドライバである信号側ドライバ２１A、B、Cと接続されており、信号側ドライバ２１A、B、Cが互いに同期して信号駆動を行なうように構成されている。このように、信号入力側のアルミ金属電極群１２が３つのグループ１２A、B、Cに分割されるとともに、後述する如く電極走査側である透明電極群１５も、３つのグループ１２A、B、Cと対応するように、３つのグループ１５A、B、Cに分割されているため、対応する画素の領域（画面領域）も３つの領域に分割されることになる。
【００３１】
このように、画面領域を３つの領域に分割するようにしているので、１画素あたりの駆動デューティを増加させることができ、パッシブ型のＸＹマトリックス駆動方式を採用することに伴う表示画面の輝度の低下を抑制することができる。
【００３２】
また、ベースフィルム１に、各画素に対応してスルーホールを形成し、各信号側ドライバ２１A、B、Cに接続される電極配線１７はベースフィルム１の裏面側に配することができるので、上記アルミ金属電極群１２を３つのグループ１２A、B、Cに分割したことにより生じる、画面領域間のつなぎ目は表示画面内に存在せず、見やすい表示装置を構成することができる。
【００３３】
一方、図２（C）に示すように、カバーフィルム６の底面には透明電極層５の透明電極群１５が図面の横方向にストライプ状に形成されている。また、透明電極層５の透明電極群１５は、上記アルミ金属電極群１２の３つのグループ１２A、B、Cと対応するように、３つのグループ１５A、B、Cに分割されており、各グループ１５A、B、Cは各々、対応する走査側ドライバ３１A、B、Cと接続されており、走査側ドライバ３１A、B、Cが互いに同期して信号走査を行なうように構成されている。
【００３４】
このように、透明電極層５の透明電極群１５は、３つのグループ１５A、B、Cに分割されており、各グループ１５A、B、Cは各々、対応する走査側ドライバ３１A、B、Cと接続されており、走査側ドライバ３１A、B、Cが互いに同期して電極走査を行なうように構成されている。
これにより、３つの画面領域の各々について、パッシブ型のＸＹマトリックス駆動方式とすることができる。
【００３５】
また、図２（A）、（B）からも明らかなように、ベースフィルム１は、通常のテレビ画面のアスペクト比（４：３や１６：９等）に対応した縦横比を有する矩形形状とされており、また、そのベースフィルム１の１つの端部付近（背面電極層２上）に、アルミ金属電極群１２と信号側ドライバ２１A、B、Cとを接続するための端子部１８A、B、Cが集中形成されている。また、カバーフィルム６の上記端部付近（透明電極層５上）に、透明電極群１５と走査側ドライバ３１A、B、Cとを接続するための端子部１９A、B、Cが集中形成されている。
【００３６】
これにより、フレキシブルなＥＬ表示装置を、上記端部とは逆の端部側から上記端部に向けて巻回することが容易となり、コンパクトに収納することが可能となる。例えば、ロールスクリーンのように壁部等に取り付けておいて、表示装置の不使用時には、上方部分に巻回されるように構成しておくことも可能となる。
【００３７】
なお、上記実施形態装置においては、ベースフィルム１の１つの端部付近に、端子部１８A、B、C、１９A、B、Cを設けているが、これに替えて、ベースフィルム１の対向する２つの端部付近に、端子部１８A、B、C、１９A、B、Cを設けるようにしても巻回収納を容易とすることができる。例えば、端子部１８A、B、Cはベースフィルム１の一方の端部付近に、端子部１９A、B、Cはベースフィルム１の他方の端部付近に各々設けるようにすることが可能である。
【００３８】
以下、上記実施形態に係るフレキシブルなＥＬ表示装置の製作手順を簡単に説明する。
【００３９】
すなわち、アルミ金属電極群１２より構成される背面電極層２および電極配線１７を付設されたベースフィルム１上に、誘電体層３とＺｎＳ：Ｃｕ蛍光体を含んでなる蛍光体層４を各々印刷法によって形成する。なお、ベースフィルム１上への背面電極層２の付設は、印刷法を用いて行なわれる。
【００４０】
なお、上記アルミ金属電極群１２および電極配線１７の各電極のピッチは0.5mmとされ、隣接する電極の間隔は0.1mmとされている。なお、図２（A）、（B）に示すアルミ金属電極群１２および電極配線１７の各電極のピッチや電極間隔は模式的に表したものであるので、実際の寸法とは整合していない。
【００４１】
一方、カバーフィルム６の底面上に透明電極群１５より構成される透明電極層５を、各透明電極が上記アルミ金属電極群１２の各電極と直交した状態となるように、印刷法を用いて形成する。
【００４２】
また、上記透明電極群１５は、上記アルミ金属電極群１２と同様に各電極のピッチは0.5mmとされ、隣接する電極の間隔は0.1mmとされている。なお、図２（C）に示す透明電極群１５の各電極のピッチや電極間隔は模式的に表したものであるので、実際の寸法とは整合していない。
【００４３】
この後、上述したようにして作成された、ベースフィルム１、背面電極層２、誘電体層３および蛍光体層４を一体化したものと、上述したようにして作成された、透明電極層５およびカバーフィルム６を一体化したものとを接着剤を用いて貼り合わせることにより、図１に示す如き層構成のフレキシブルなＥＬ表示装置（ＥＬシート）を製造することができる。この際、このＥＬ表示装置を上方からみると、上記アルミ金属電極群１２と上記透明電極群１５とによって縦横共に等間隔に配列された格子が形成され、これにより、各画素が略正方形状に形成される。
【００４４】
１つの画面領域は、例えば320画素×80画素により構成されており、全画面が３つの画面領域によって形成されていることから、全画面での画素数は例えば76800となる。
【００４５】
また、走査側電極である透明電極群１５から各画面領域に対して並列に980Hzの走査パルスを印加する一方、信号側電極であるアルミ金属電極群１２には画像等を表示するための情報信号を印加する。
【００４６】
また、前述した如く、各画面領域間のつなぎ目は発生しない。
これにより、高輝度できれいな画面表示を達成することができる。
【００４７】
次に、本実施形態装置によりカラー表示を行なう場合の構成について説明する。
このカラー表示を行なう場合の構成は、上述したＥＬ表示装置のカバーフィルム６の発光側の表面に、波長変換用の赤、緑、青の有機色素蛍光塗料を透明電極群１５の電極配置パターンと同じパターンに塗設してなるフィルムを、該塗設パターンが該電極配置パターンと重なるようにして貼設することによりなされる。
【００４８】
蛍光体層４に含まれるＥＬ蛍光体は、有機バインダ中にＺｎＳ：Ｃｕからなる青緑色発光蛍光体粉末を分散させたもので、その粒径は前述した如く、例えば１０ｎｍ〜１μｍと極めて微小なものとされている。
【００４９】
このようにして波長変換することにより得られた、赤、緑、青の発光色のスペクトルをＺｎＳ：Ｃｕの発光色のスペクトルとともに、図４に示す。
【００５０】
また、上記蛍光体層４に含まれる蛍光体を、有機バインダ中にＺｎＳ：Ｃｕからなる青緑色発光蛍光体粉末とＺｎＳ：Ｍｎからなるオレンジ色発光蛍光体粉末とを分散させたものとすることで白色光を得ることができる。
【００５１】
このように構成された場合、上記２種類の蛍光体材料からの発光色のスペクトルは図５に示すようになり、これら両蛍光体材料の混合比を調節することにより、両蛍光体材料からの発光色のスペクトルの和により、同図に示す如く、帯域が可視域の略全域となる白色光を得ることができる。
【００５２】
また、この場合、上述したＥＬ表示装置のカバーフィルム６の発光側表面に、波長変換用の赤、緑、青のカラーフィルタを貼設することによりカラー表示が行なわれるように構成することができる。このようにして波長変換することにより得られる赤、緑、青の発光色は、図４に示す如き赤、緑、青の波長変換後の発光スペクトルにおいて、特に赤、緑の各成分を増大せしめた発光スペクトルとして表される。
【００５３】
なお、上記2種類の蛍光体材料の粒径は、前述した如く、例えば１０ｎｍ〜１μｍと極めて微小なものとする。
【００５４】
ところで、本実施形態装置においては、上述したように蛍光体層４に含まれる蛍光体として極めて粒径の小さいもの（微粒子）を用いているため高解像度な表示とすることができるが、その反面、発光された光がこの微粒子によって散乱され易くなり、隣接する画素に光伝播して画像の表示品質を低下させるおそれがある。特に、蛍光体としてバンドギャップが大きく、白色の物体色の材料が用いられる場合には、外光の反射率が高くなり画像表示の際にコントラストを低下させるおそれがある。
【００５５】
そこで、ベースフィルム１上に背面電極層２および誘電体層３を形成した後に、図３に示す如く、蛍光体層４の互いに隣接する画素（分散された蛍光体粉末４１により形成される）間に絶縁性の黒色リブ４２を介在させる構造（ブラックマトリックス構造と称する）となるようにする。
【００５６】
隣接する画素間にこのような黒色リブ４２を介在させることで、画素間での発光のにじみが低減し表示品質が向上する。また、これによってコントラストを改善することができ、視認しやすくなる。
なお、上記黒色リブ４２は印刷法により形成する。
【００５７】
なお、本発明のフレキシブルなＥＬ表示装置としては、上記実施形態のものに限られるものではなく、その他の種々の態様の変更が可能である。
【００５８】
例えば、上記実施形態に記載された各層のうち、所定条件下において誘電体層を省略することが可能である。また、本表示装置と接合される外部支持体の構成によっては透明な保持層（カバーフィルム）を省略することが可能である。
【００５９】
また、上記各層は印刷法により形成されているが、成膜温度等を勘案して、その他の成膜方法により形成することも可能である。
【００６０】
また、上述した実施形態においては、蛍光体層の画素部領域を３つのグループに分割しているが、領域の分割数としては３つに限られるものではなく、２つとすることや４つ以上とすることが可能である。また、蛍光体層の画素部領域を分割せずに使用することも可能である。
【００６１】
また、これら分割された各領域毎に設けられた外部駆動回路は、互いに非同期状態で各分割領域の画素部を駆動するように構成することも可能である。
【００６２】
さらに、上記実施形態においては、カラー表示とするための構成として、波長変換用の赤、緑、青の蛍光塗料あるいは波長変換用の赤、緑、青のカラーフィルタをカバーフィルムの外側に設けるようにしているが、これらの波長変換用部材をカバーフィルムと蛍光体層の間に設けるようにしてもよい。
【図面の簡単な説明】
【００６３】
【図１】本発明のフレキシブルなＥＬ表示装置の概念的な層構成を示す断面図
【図２】本発明の実施形態に係るフレキシブルなＥＬ表示装置の背面電極（アルミ金属電極群）の概念的な配置構成を示す図（（A）は上面図、（B）は側面図）、および本発明の実施形態に係るフレキシブルなＥＬ表示装置の透明電極（透明電極群）の概念的な配置構成を示す図（（C）は上面図）
【図３】本発明の実施形態に係るフレキシブルなＥＬ表示装置のブラックマトリックス構造を表す図
【図４】本発明の実施形態に係るフレキシブルなＥＬ表示装置において用いられる青緑色発光ＺｎＳ：Ｃｕ蛍光体の発光スペクトルおよび波長変換した発光スペクトルを示すグラフ
【図５】本発明の実施形態に係るフレキシブルなＥＬ表示装置において用いられる青緑色発光ＺｎＳ：Ｃｕ蛍光体とオレンジ色発光ＺｎＳ：Ｍｎ蛍光体の各発光スペクトル、およびこれらを組み合わせて得られた白色発光スペクトルを示すグラフ
【符号の説明】
【００６４】
１      ベースフィルム
２      背面電極層
３      誘電体層
４      蛍光体層
５      透明電極層
６      カバーフィルム
１２      アルミ金属電極群
１２A、B、C      グループ（アルミ金属電極群グループ）
１７      電極配線
１８A、B、C、１９A、B、C      端子部
２０      スルーホールコンタクト
２１A、B、C      信号側ドライバ
３１A、B、C      走査側ドライバ
【図１】
2005116320.tif 000003
【図２】
2005116320.tif 000004
【図３】
2005116320.tif 000005
【図４】
2005116320.tif 000006
【図５】
2005116320.tif 000007